(57)【特許請求の範囲】
【請求項１】
複数の画面グループに分けられた複数枚の画面から選択的に表示される画面をタブ操作により任意に移行させる画面移行タブスイッチ制御装置であって、
画面グループを指示するためのシフト操作手段と、
シフト操作手段により指示される以前に表示されている画面をそのまま維持するとともに、タブ表示を画面グループごと切り替えて、シフト操作手段により指示された画面グループに属する画面を選択するための複数のタブを表示する第１表示制御手段と、
表示された複数のタブから所望のタブを指示するためのタブ操作手段と、
画面表示を切り替えて、タブ操作手段により指示されたタブに対応する画面を表示する第２表示制御手段と
を具備することを特徴とする画面移行タブスイッチ制御装置。
【請求項２】
さらに、
互いに順序付けられた複数の画面グループから指示可能な画面グループの存在に応じて、シフト操作手段の操作可能性を案内する案内マークを表示するシフト案内表示制御手段を具備することを特徴とする請求項１に記載の画面移行タブスイッチ制御装置。
【請求項３】
複数の画面グループに分けられた複数枚の画面から選択的に表示される画面をタブ操作により任意に移行させる画面移行タブスイッチ制御装置に対して、
画面グループを指定するステップと、
画面グループが指定される以前に表示されている画面をそのまま維持しつつ、タブ表示を画面グループごと切り替えて、指定された画面グループに属する画面を選択するための複数のタブを表示するステップと、
表示された複数のタブから所望のタブを指定するステップと、
画面表示を切り替えて、指定されたタブに対応する画面を表示するステップと
から成る手順を実行させるための画面移行タブスイッチ制御プログラム。
【発明の詳細な説明】
【０００１】
【発明の属する技術分野】
この発明は、ディジタルミキサーなどの楽音再生装置において素早く簡単に画面移行を行うことができるようにした画面移行タブスイッチ制御装置及びプログラムに関する。
【０００２】
【従来の技術】
従来より、ディジタルミキサーなどの楽音再生のための電子音響信号処理装置においては、多数の信号処理チャンネルの動作設定などに伴う設定状況や動作現況等の確認に当って、これらの状況を表わす多数の表示画面の夫々にタブ（スイッチ）を設け、このタブ（スイッチ）の操作により表示画面を切り替える方法がとられている。
【０００３】
従来の方法では、単に、タブ（スイッチ）で機能を切り替えるというだけのものが多く、タブ操作により或る画面から他の画面に切り換えるのに複数回のアクションが必要である。また、２アクションで表裏の関係にある画面セットに移行するというものもあるが、これでは“タブの数×２”の数しか画面を用意することができず、取扱い可能な画面数が限定される。
【０００４】
【発明が解決しようとする課題】
この発明は、このような従来技術の不都合に鑑み、画面移行専用スイッチを用いることにより、多数の画面を用意することができ、しかも、画面移行を簡単に速くスムースに行うことができるようにした画面移行タブスイッチ制御装置を提供することを目的とする。
【０００５】
【課題を解決するための手段】
この発明の主たる特徴に従うと、複数の画面グループに分けられた複数枚の画面から選択的に表示される画面をタブ操作により任意に移行させる画面移行タブスイッチ制御装置であって、画面グループを指示するためのシフト操作手段と、シフト操作手段により指示される以前に表示されている画面をそのまま維持するとともに、タブ表示を画面グループごと切り替えて、シフト操作手段により指示された画面グループに属する画面を選択するための複数のタブを表示する第１表示制御手段と、表示された複数のタブから所望のタブを指示するためのタブ操作手段と、画面表示を切り替えて、タブ操作手段により指示されたタブに対応する画面を表示する第２表示制御手段とを具備する画面移行タブスイッチ制御装置（請求項１）、並びに、複数の画面グループに分けられた複数枚の画面から選択的に表示される画面をタブ操作により任意に移行させる画面移行タブスイッチ制御装置に対して、画面グループを指定するステップと、画面グループが指定される以前に表示されている画面をそのまま維持しつつ、タブ表示を画面グループごと切り替えて、指定された画面グループに属する画面を選択するための複数のタブを表示するステップと、表示された複数のタブから所望のタブを指定するステップと、画面表示を切り替えて、指定されたタブに対応する画面を表示するステップとから成る手順を実行させるための画面移行タブスイッチ制御プログラム（請求項３）が提供される。
【０００６】
この発明による画面移行タブスイッチ制御装置は、さらに、互いに順序付けられた複数の画面グループから指示可能な画面グループの存在に応じて、シフト操作手段の操作可能性を案内する案内マークを表示するシフト案内表示制御手段を具備することができる（請求項２）。
【０００７】
〔発明の作用〕
この発明の主たる特徴によると、複数（Ｙ）枚の画面から選択的に表示される画面（ｙ）をタブ操作により任意に移行させるに際し、予め、複数（Ｙ）枚の画面（メイン画面部に表示される機能表示画面）を複数（Ｓ）の画面グループに分けておくと共に、各画面グループに属する画面を選択するための複数のタブ（タブセット）の表示と各画面の表示とを別々に切り替えるように制御する。まず、シフト操作手段（ＳＬ，ＳＲ）からの指示に基づいて画面グループが選択的に指定されると（Ｓ１→Ｓ３，Ｓ６）、第１表示制御手段（Ｓ４）により、タブ表示を画面グループ（タブセット）ごと切り替えて、指示（指定）された画面グループ（ｓ）に属する画面を選択するための複数のタブ（ｓ）を表示するが、シフト操作手段（ＳＬ，ＳＲ）により指示される以前に表示されている画面はそのまま表示を維持する。そして、タブ操作手段（Ｆ１〜Ｆ４）からの指示（ｔ）に基づいて、表示された複数のタブ（ｓ）から所望のタブ（ｙ）が指定されると（Ｐ３→Ｐ４）、第２表示制御手段（Ｐ５）によって、画面表示を切り替えて、指示（指定）されたタブ（ｔ）に対応する画面（ｙ）を表示する。なお、括弧書きは、後述する実施例における参照記号乃至用語を表わす。
【０００８】
この発明では、このように、多数（Ｙ）枚の画面を複数（Ｓ）の画面グループに分けているので、タブ操作手段（Ｆ１〜Ｆ４）の数（Ｔ）と画面グループの数（Ｓ）を乗算した数（Ｔ×Ｓ）までの多数の機能を、装置に持たせることができる。また、特定の機能毎に画面をグループ化して保存することにより、所望の機能が探し易くなる。この発明では、さらに、画面グループの移行のために専用のシフト操作手段（ＳＬ，ＳＲ）を設けているので、簡単且つ高速に所望の画面グループに移行し、特定の機能にアクセスする手順を素早くすることができる。従って、多くの機能表示画面を格納しておき、これを少ない操作手段（スイッチなど）で呼び出し、パネル操作性を向上することができる。
【０００９】
この発明では、また、シフト操作手段（ＳＬ，ＳＲ）を操作して別の画面グループが指定されても、シフト操作手段（ＳＬ，ＳＲ）により指示される以前に表示されている画面をそのまま表示するようにしており、次にタブ操作手段（Ｆ１〜Ｆ４）が操作されるまでは、画面表示を更新しない。従って、タブ操作手段（Ｆ１〜Ｆ４）により選択されたユーザに必要な表示画面だけを表示することができ、履歴データとして残しておくことができる。また、これにより、画面履歴を追跡操作する手段（ＳＦ，ＳＢ）によって、戻り作業工程での修正・確認を素早く行い、その後も、素早く現在の作業工程に戻ることができる。
【００１０】
この発明の別の特徴によると、さらに、画面グループを互いに順序付けて、現在指定されている画面グループの前後に指示可能な画面グループが存在するかどうかに応じて、シフト操作手段（ＳＬ，ＳＲ）の操作可能性をユーザに案内する案内マーク（ＭＬ，ＭＲ）を表示するようにしている。この案内マークには、例えば、タブの横に置かれる三角印などが用いられる。従って、隣接する画面グループの存在がすぐに分かり、画面グループ間の順序付けや配列をイメージしながら容易にパネル操作を行うことができる。
【００１１】
【発明の実施の形態】
以下、図面を参照しつつ、この発明の好適な実施例を詳述する。なお、以下の実施例は単なる一例であって、この発明の精神を逸脱しない範囲で種々の変更が可能である。
【００１２】
〔ハードウエア構成〕
図１には、この発明の一実施例による画面移行タブスイッチ制御装置が適用される自動演奏機能を備えたディジタルミキサーのハードウエア構成のブロック図が示されている。このディジタルミキサーは、中央処理装置（ＣＰＵ）１、タイマ２、読出専用メモリ（ＲＯＭ）３、ランダムアクセスメモリ（ＲＡＭ）４、外部記憶装置５、検出回路６、表示回路７、サウンドシステム８などの外に、通信インターフェイス（Ｉ／Ｆ）９や通信回路１０などを備え、これらの装置１〜１０は、通信バス１１を介して互いに接続されている。
【００１３】
ミキサー全体を管制するＣＰＵ１は、所定のソフトウエア・プログラムに従いタイマ２によるクロックを利用して種々の制御を行い、ディジタルミキサーとしての通常のミキシング処理の外、特に、画面移行タブスイッチ制御のための処理を中心的に遂行する。この画面移行タブスイッチ制御のための処理には、シフトスイッチ押下処理及びタブスイッチ押下処理が含まれる。
【００１４】
ＲＯＭ３には、このミキサーを制御するための所定の制御プログラムが記憶されており、これらの制御プログラムには、通常のミキシング処理や画面移行タブスイッチ制御のための処理に関する各種プログラムの外、これらの処理に付随する各種テーブル及び各種データが含まれる。また、ＲＡＭ４には、これらの処理に際して利用されるフラグやバッファなどの情報が記憶される。
【００１５】
外部記憶装置５は、ハードディスクドライブ（ＨＤＤ）の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、メモリカード等の可搬型記憶媒体を用いた装置から成り、各種制御プログラムや各種データを記憶することができる。従って、各種制御プログラムや各種データは、ＲＯＭ３を利用するだけでなく、外部記憶装置５からＲＡＭ４内に読み込むことができ、必要に応じて、処理結果を外部記憶装置５に記録しておくこともできる。
【００１６】
検出回路６には操作子装置１２が接続され、操作子装置１２は、ミキシングのためのスイッチ、ダイヤル、スライダー等の多数の操作子や、画面移行タブスイッチ制御のための画面操作スイッチ（ＳＬ，ＳＲ；Ｆ１〜Ｆ４）が含まれ、ミキサーの操作パネル等に設けられる。また、表示回路７に接続される表示装置１３は、操作パネル上に設けられた画面表示部（ＤＰ）や各種インジケータを含む。
【００１７】
サウンドシステム８は、チャンネル（トラック或いはパートともいう。）毎の楽音信号に基づいた再生を行なう装置であり、ＤＳＰ、出力増幅回路やスピーカを含む。楽音信号がオーディオ信号であれば、デジタル・アナログ変換器などを利用して楽音を再生し、楽音信号がＭＩＤＩ信号であれば音源回路などを利用して楽音を再生する。また、通信Ｉ／Ｆ９には、ローカルエリアネットワーク（ＬＡＮ）やインターネット、電話回線等の通信ネットワーク１４が接続され、通信ネットワーク１４を介してサーバコンピュータ等から制御プログラムや演奏情報などの各種データを外部記憶装置５にストアすることもできる。
【００１８】
通信回路１０は、所定チャンネル分の入出力端子を装備しており、外部機器１５との間で、楽音信号の送受信を制御する。通信回路１０のチャンネル毎の入出力端子に接続される外部機器１５は、オーディオ信号やＭＩＤＩ信号などの楽音を再生するための楽音信号を送受信することが可能な機器であり、例えば、オーディオ機器、電子楽器、自動演奏装置などがある。このディジタルミキサーは、通信回路１０を介して外部機器１５から入力されるチャンネル分の楽音信号を、設定された動作条件に応じてミキシング処理し、サウンドシステム８を使って再生させたり、或いは、通信回路１０や通信Ｉ／Ｆ９から外部へ出力させたりする機能を有する。
【００１９】
〔表示画面と画面操作スイッチの構成例〕
このディジタルミキサーでは、多数のチャンネル（例えば、９６チャンネル）の楽音信号をミキシング処理するに当り、各チャンネルの設定状況や動作現況等が表示装置１３のディスプレイＤＰに表示され、これらの表示援助の下で状況を確認しつつ、動作条件が設定される。その際、操作子装置１３に画面操作スイッチとして設けられたシフトスイッチ（シフトキー）やタブスイッチ（ファンクションキー）によって、表示画面の切替えを行うことができる。図２は、この発明の一実施例による操作パネル上に設けられるディスプレイと画面操作スイッチの一配置例を示す。なお、ディスプレイ及び画面操作スイッチは、視認性及び操作性の点から、比較的広い操作パネル（図示せず）のほぼ中央に設置するのが好ましい。
【００２０】
図２において、ディスプレイＤＰの主画面表示領域（メイン画面部）には、選択された画面グループ（画面セット）に属する複数の表示画面のうちの１つを表示することができる。また、副表示領域には、当該画面グループ内の表示可能な各表示画面に対応するタブＴ５〜Ｔ８が表示され、その両側には、前後（左右）に選択可能な画面グループが存在するかどうかに応じて、三角印で描かれた左方向シフト可能マーク（左シフトマーク）ＭＬ又は右方向シフト可能マーク（右シフトマーク）ＭＲを表示することができる。
【００２１】
一方、操作パネル上には、ディスプレイＤＰに表示されるタブＴ５〜Ｔ８及びシフト可能マークＭＬ，ＭＲに対応して、これらの表示位置の近傍に、それぞれ、第１〜第４タブスイッチＦ１〜Ｆ４並びに左方向シフトスイッチ（左シフトスイッチ）ＳＬ及び右方向シフトスイッチ（右シフトスイッチ）ＳＲが設けられる。
【００２２】、
つまり、画面グループは互いに順序付けられて配列されているので、画面グループの配列関係から現在指定されている画面グループの前後に指示可能な画面グループが存在するかどうかを判断し、その判定結果に基づいて、例えば、図２に示すように、三角印などで案内マーク（シフト可能マーク）ＭＬ，ＭＲを表示し、シフトスイッチＳＬ，ＳＲが能動化されていることをユーザに案内する。これにより、隣接する画面グループの存在がすぐに分かり、画面グループ間の順序付けや配列をイメージしながら、容易にパネル操作を行うことができる。
【００２３】
一般的に言うと、この発明では、ミキサーの動作や操作上必要なディスプレイ表示機能に対応してＹ枚の表示画面が用意され、これらの表示画面は複数の画面グループに分けられ、各画面グループには最大Ｔ枚毎の表示画面が含まれる。操作パネル上には、これらのグループを選択するために、ディスプレイＤＰの副表示領域にはシフト可能マークＭＬ，ＭＲが表示可能であり、これに対応してシフトスイッチＳＬ，ＳＲが設けられる。これにより、シフトスイッチＳＬ，ＳＲの操作によって、所望の表示画面が属している表示画面グループ（Ｔ枚の表示画面）を選択的に指示することができる。
【００２４】
ディスプレイＤＰには、指示された画面グループに属するＴ枚の表示画面に対応するタブ（Ｔ５〜Ｔ８）がタブセットとして視認可能に表示される。このグループから所望の表示画面を選択するために、ディスプレイＤＰに表示される最大Ｔ個のタブ（Ｔ５〜Ｔ８）に対応してＴ個のタブスイッチ（Ｆ１〜Ｆ４）が設けられる。これにより、タブスイッチ（Ｆ１〜Ｆ４）の操作によって、操作されたタブスイッチに対応する所望の表示画面を表示することができる。
【００２５】
図２以下の例では、Ｔ＝４であり、予め用意された多数枚（Ｙ枚）の表示画面が４枚（Ｔ＝４）毎のグループに分けられている。図示しない当初画面において右方向シフトスイッチＳＲを操作すると、第２画面グループが指定され、ディスプレイＤＰには、指定された画面グループ内の４枚の表示画面に夫々対応するタブＴ５〜Ｔ８が表示される。さらに、タブＴ５に対応するタブスイッチＦ１を操作すると始めて、ディスプレイＤＰの主画面表示領域（メイン画面部）には、タブＴ５に対応する図２のような表示画面が表示される。
【００２６】
タブスイッチＦ１〜Ｆ４により選択されディスプレイＤＰ上に表示された表示画面は、画面表示履歴データとしてＲＡＭ４内の履歴記憶領域に記憶され、これにより、タブスイッチＦ１〜Ｆ４で選択したユーザに必要な表示画面だけを履歴データとして残しておくことができる。これに対して、操作パネル上には、図２の右側に示すように、任意のパネル位置にフォワードスイッチＳＦ及びバックスイッチＳＢが設けられ、履歴の追跡に用いられる。なお、両スイッチＳＦ，ＳＢの設置位置は、ディスプレイＤＰの近傍である必要はない。
【００２７】
例えば、バックスイッチＳＢを操作する毎に、画面表示履歴データに従って、前回のタブスイッチ操作（タブ操作）で選択した表示画面が順次遡って表示されていくので、素早く希望する表示画面に戻り修正・確認を行うことができる（戻り作業工程）。また、フォワードスイッチＳＦを操作する毎に、画面表示履歴データに従って、タブ操作で選択した表示画面の表示が順次進行されるので、履歴画面を確認しつつ、素早く現在の作業工程に戻ることができる。
【００２８】
図２のディスプレイＤＰ内には、表示画面の具体的な一例として、「レベルメータ（ＬＥＶＥＬ  ＭＥＴＥＲ  ）」の入力レベル（ＩＮＰＵＴ  ）に関する第２画面グループに属する４枚のレベルメータ表示画面のうち、第１表示画面のチャンネル１〜２４（ＣＨ１〜２４）分の表示画面が、参考のために極く簡略化して表わされている。
【００２９】
なお、図２では、タブＴ５〜Ｔ８やシフト可能マークＭＬ，ＭＲは、ディスプレイＤＰの下端部に左右方向に配置して表示しているが、上端部に配置してもよく、また、ディスプレイＤＰの左端部又は右端部に上下方向に配置して表示してもよい。この場合、タブやシフト可能マークの表示位置に隣接する操作パネル上の位置に、タブスイッチＦ１〜Ｆ４やシフトスイッチＳＬ，ＳＲを設置する。さらに、機械的なスイッチ（Ｆ１〜Ｆ４；ＳＬ，ＳＲ）をパネル上に設けず、ディスプレイＤＰに表示されるタブＴ５〜Ｔ８やシフト可能マークＭＬ，ＭＲの位置にタッチセンサを設けて、タブやマーク自体にタッチスイッチ機能をもたせ、タブやマークを指などで指示するタッチパネル方式を採用することにより、所望のスイッチ動作をさせるようにしてもよい。
【００３０】
〔表示画面選択の概念〕
この発明の一実施例による画面移行タブスイッチ制御では、複数のタブをもつ画面グループを選択し、選択された画面グループから所定のタブを指定することによって、指定されたタブに対応する所望の表示画面に移行させるようにしているので、多くの表示機能を格納しているにも拘わらず、少ないスイッチで所望の表示機能を呼び出すことができ、パネル操作性の向上を図ることができる。図３は、この発明の一実施例による表示画面選択の概念をイメージ的に表わした図である。
【００３１】
図３では、図２と同様にＴ＝４とし全表示画面数Ｙは“１６”とした場合を例にして、表示画面を仮想的に左右に配列した状態が示されている。すなわち、このミキサーには、ディスプレイ表示のために、総数１６枚（Ｙ＝１６）の表示画面が用意され、各表示画面には夫々タブＴ１〜Ｔ１６が付設される。また、これらのタブＴ１〜Ｔ１６及び対応する表示画面は、それぞれ、タブ番号及び画面番号ｙを有し、各タブ番号及び画面番号ｙ（１≦ｙ≦Ｙ））には共通の番号値“１”〜“１６”が与えられ、以下においては、共通の記号（タブ記号及び画面記号）“Ａ”〜“Ｐ”を付加して説明する。
【００３２】
一般的にいうと、総数Ｙ枚の表示画面及びタブは、画面番号＝タブ番号ｙ（１≦ｙ≦Ｙ）が付与され、Ｓ群（組又はセット）の画面グループに分けられ、各画面グループにおいては、最大画面数＝最大タブ数Ｔまでの表示画面及びタブを備え、各画面グループにおけるタブの組はタブセットと呼ばれる。また、各画面グループ及びタブセットには、共通の画面グループ番号及びタブセット番号ｓ（１≦ｓ≦Ｓ）が付与され、各タブスイッチ（Ｆ１〜Ｆ４）にはタブスイッチ番号ｔ（１≦ｔ≦Ｔ）が付与される。
【００３３】
図３の例では、総数Ｙ枚の表示画面及びタブＡ〜Ｐに対して、画面番号＝タブ番号ｙ＝“１”〜“１６”が夫々与えられ、各画面グループに含まれる表示画面数には一定値“４”が与えられ、最大画面数＝最大タブ数Ｔ＝“４”である。また、タブセット数＝画面グループ数Ｓ＝Ｙ／Ｔは“４”である。各画面グループ及び各タブセットには、共通の画面グループ番号及びタブセット番号ｓとして、左側から順次“１”〜“４”が付与され、「第１画面グループ」〜「第４画面グループ」及び「第１タブセット」〜「第４タブセット」と呼ばれる。
【００３４】
さて、この発明に従う画面移行タブスイッチ制御においては、図３に示す仮想配列に示されるように、全表示画面Ａ〜Ｐを第１〜第４画面グループに分けて配置し、各画面グループでは、当該各グループに属する４枚の表示画面を重ねておく。また、これらの画面グループに対応して、第１〜第４タブセットを付設し、ディスプレイＤＰに表示される第１〜第４タブセットに対応する位置には、タブスイッチ番号ｔ＝“１”〜“４”が夫々与えられたタブスイッチＦ１〜Ｆ４が設けられる。さらに、これらのタブスイッチの両側には左方向及び右方向シフトスイッチＳＬ，ＳＲが設けられる。
【００３５】
先ず、シフトスイッチＳＬ，ＳＲの操作により、ディスプレイＤＰ上に表示される画面グループの選択が可能となる。そして、タブスイッチＦ１〜Ｆ４を押圧操作すると、切り替え後の画面グループに属する表示画面がディスプレイＤＰ上に表示される。
【００３６】
すなわち、横長のワイドスクリーン上に４つの画面グループを並置し、図３に太線で示すように、そのうちの一部の表示画面（画面グループ）をディスプレイＤＰ上に表示可能とし、表示可能な画面グループは、左方向シフトスイッチＳＬ又は右方向シフトスイッチＳＲの操作で切り替えるという概念である。
【００３７】
ただし、シフトスイッチＳＬ，ＳＲを押すだけでは、副表示領域（タブ表示部）におけるタブセットの表示が切り替わるだけで、主画面表示領域（メイン画面部）の表示は変化せずそれ以前の表示状態を維持する。例えば、第１画面グループの表示画面Ａを表示している状態から右方向シフトスイッチＳＲを押して第２画面グループに切り替えただけでは、図３の太線内に「表示画面Ａ」で示されるように、表示画面Ａを表示したままであり、更にシフトスイッチＳＲを押しても同様である。
【００３８】
つまり、シフトスイッチＳＲを押した後、タブスイッチＦ１〜Ｆ４を押すことにより初めて、切り替え後の画面グループに属する表示画面の切替えが行われる。例えば、表示画面Ａの表示状態からシフトスイッチＳＲを押して、図３に太線で示すように、第２画面グループを選択した場合、その後、タブスイッチＦ１〜Ｆ４を押すと始めて、表示画面Ｅ〜ＨがディスプレイＤＰ上に映る。
【００３９】
〔画面選択操作例〕
図４及び図５は、この発明の一実施例による画面移行タブスイッチ制御に基づく画面選択の操作例を表わす。ここで、この発明による画面移行タブスイッチ制御の概略を図４を用いて説明しておく。この画面移行タブスイッチ制御においては、複数（Ｙ＝１６）枚の表示画面Ａ，Ｂ，Ｃ，…から選択的に表示される表示画面（ｙ）をタブ操作により任意に移行させるに際し、予め、全表示画面Ａ，Ｂ，Ｃ，…を複数（Ｓ＝４）の画面グループＡ〜Ｄ，Ｅ〜Ｈ，…に分けておく。そして、例えば、第１画面グループＡ〜Ｄを指定している状態〔左上〕で、右シフトスイッチＳＲを１回操作して隣接する第２画面グループＥ〜Ｈ（ｓ＝２）が選択的に指定されると、指定された画面グループに対応する第２タブセットＥ〜Ｈが表示される〔左下〕。表示中の第２タブセットＥ〜Ｈから、タブスイッチＦ２でタブＦ（ｔ＝２）を選択すると、タブ操作に対応する第６表示画面Ｆ（ｙ＝６）が表示される〔右下〕。シフトスイッチＳＬ，ＳＲに対して、現在の画面グループの前又は後に、指示可能な画面グループが存在することを表わす三角印の案内マーク（左方向又は右方向シフト可能マーク）ＭＬ，ＭＲが表示される。
【００４０】
以下、より具体的に説明する。画面移行タブスイッチ制御を起動した当初の初期状態においては、図４の左上に示されるように、ディスプレイＤＰには、第１画面グループの先頭表示画面Ａが主画面表示領域（メイン画面部）にデフォルト表示され、副表示領域のタブ表示部に、第１タブセットのタブＡ〜Ｄ（Ｔ１〜Ｔ４）が表示され、タブスイッチＦ１〜Ｆ４の操作により第１画面グループ内の表示画面Ａ〜Ｄを選択的に表示することができる（但し、表示画面Ａについては、他の表示画面Ｂ〜Ｄが表示されている場合にタブスイッチＦ１で選択可能。）。また、タブ表示部の右側位置には右方向シフト可能マークＭＲが表示されて右方向シフトスイッチＳＲの操作が可能な状態であることが報知される。
【００４１】
ここで、右方向シフトスイッチＳＲを操作すると、タブ表示部の表示は、４つのタブが１組となったタブセットごと切り替わり、第２タブセットのタブＥ〜Ｈ（Ｔ５〜Ｔ８）が表示される。しかし、メイン画面部は、更にタブスイッチＦ１〜Ｆ４の選択操作が行われるまでそれ以前の表示画面を保持するようになっているので、表示画面Ａが表示されたままである。従って、ディスプレイＤＰは、図４の左下に示される表示になる。
【００４２】
図４左下の表示状態は、図３の太線の状態に相当し、左方向及び右方向シフト可能マークＭＬ，ＭＲが表示されてシフトスイッチＳＬ，ＳＲによる左右両方向の操作が可能となる。従って、左方向シフトスイッチＳＬを押すと図４左上の状態に戻すことができる。また、図４左下の表示状態では、タブスイッチＦ１〜Ｆ４の操作により第２画面グループ内の表示画面Ｅ〜ＨをディスプレイＤＰ上に表示することができる。例えば、タブスイッチＦ２を押すと、図４の右下に示されるように、表示画面ＦがディスプレイＤＰ上に映される。
【００４３】
さて、図４左下の表示状態において、さらに、右方向シフトスイッチＳＲを操作すると、図５の左上に示されるように、表示画面Ａの表示を維持したまま第３タブセットのタブＩ〜Ｌ（Ｔ９〜Ｔ１２）が表示される。この状態では、図４左下の状態と同じく、シフトスイッチＳＬ，ＳＲによる左右両方向の操作が可能であり、また、タブスイッチＦ１〜Ｆ４により第３画面グループ内の表示画面Ｉ〜Ｌを選択的に表示することができる。従って、図５左上の表示状態において、例えば、左方向シフトスイッチＳＬを押すと図４左下の状態に戻すことができ、タブスイッチＦ３を押すと、図５の右上に示されるように、表示画面ＫがディスプレイＤＰ上に現れる。
【００４４】
また、図５左上の表示状態において更に右方向シフトスイッチＳＲを操作すると、図５の左下に示されるように、依然として表示画面Ａの表示を維持したまま第４タブセット（最終タブセット）のタブＭ〜Ｐ（Ｔ１３〜Ｔ１６）が表示される。この状態では、タブスイッチＦ１〜Ｆ４の操作により第４画面グループ内の表示画面Ｍ〜Ｐを選択してディスプレイＤＰ上に表示することができる。この場合の画面グループの選択については、最終の第４画面グループが指定されているので、タブ表示部の左側に左方向シフト可能マークＭＬのみが表示されて左方向シフトスイッチＳＬのみが操作が可能な状態となる。従って、図５左下の状態で左方向シフトスイッチＳＬを操作することにより、図５左上の表示状態に戻すことができる。
【００４５】
以上のように、この画面移行タブスイッチ制御によると、左右方向のシフトスイッチＳＬ，ＳＲを押すと、メイン画面部に操作前の表示画面（例えば、表示画面Ａ）を保持しつつ、別の画面グループ（例えば、第２画面グループＥ〜Ｈ）が指定されて当該画面グループの概略的内容を表わすタブセット（例えば、第２タブセット）が切替え表示され、さらに、タブスイッチＦ１〜Ｆ４を押すと、押されたタブスイッチ（例えば、タブスイッチＦ２）に対応する表示画面（例えば、表示画面Ｆ）がメイン画面部に表示される。
【００４６】
また、タブセットの側部には、シフト可能マークＭＬ，ＭＲが画面グループの配列位置に応じて表示され、左方向又は右方向シフトスイッチＳＬ，ＳＲの操作可能性をユーザに案内する。例えば、図４左上の状態では、第１画面グループの表示画面Ａより前（図３では、左側）には表示画面が配列されていないので、左方向シフト可能マークＭＬは表示されず、右方向シフト可能マークＭＲのみを表示して、表示画面Ｄ以降（右側）に表示画面が存在し、第２画面グループへの移行が可能であることをユーザに知らせる。また、図５左下の状態では、最終画面グループの表示画面Ｐより後（右側）には表示画面が配列されていないので、右方向シフト可能マークＭＲは表示されず、左方向シフト可能マークＭＬのみを表示して、表示画面Ｍ以前（左側）に表示画面が存在し、第３画面グループへの移行が可能であることをユーザに知らせる。
【００４７】
従って、ユーザは、図３のような表示画面Ａ〜Ｐの配列構成をイメージしつつ、簡単且つ容易に、所望の表示画面にアクセスし、これをディスプレイＤＰ上に呼び出すことができる。
【００４８】
〔シフトスイッチ押下処理〕
この発明の一実施例において、上述したシフトスイッチＳＬ，ＳＲの操作に基づく画面データの処理は「シフトスイッチ押下処理」と呼ばれる。図６は、この発明の一実施例によるシフトスイッチ押下処理フローチャートである。この処理フローは、図示しないメイン処理における一ルーチンであり、左方向又は右方向シフトスイッチＳＬ，ＳＲの押圧（押下）操作により起動する。なお、この処理フロー及び次に説明するタブスイッチ押下処理では、図３〜図５の例と同様に、第１〜第４画面グループが左右に配列されるイメージで、１画面グループの最大タブ数（最大画面数）Ｔは一定値である（各図の例では、Ｔ＝４）として説明される。
【００４９】
何れかのシフトスイッチＳＬ，ＳＲが操作されると、先ず、最初のステップＳ１において、押されたシフトスイッチが左方向（左方向シフトスイッチ）であるか否かを判定する。ここで、左方向シフトスイッチＳＬが操作されたのであれば、ステップＳ２に進む。ステップＳ２では、現在、ディスプレイＤＰには第１タブセット〔Ｔ１（Ａ）〜Ｔ４（Ｄ）〕が表示されているか否か、つまり、最左に配列された第１画面グループが指定されている状態にあるか否かを判定する。そして、第１タブセットが表示されている（第１画面グループが指定されている）ときは、直ちに、このシフトスイッチ押下処理を終了してメイン処理にリターンする。
【００５０】
これに対して、ステップＳ２において第１タブセットが表示されていないと判断されたときは、ステップＳ３に進んで、タブセット番号ｓを“１”だけ減算する（「ｓ←“−１”」。例えば、“第２”タブセット→“第１”タブセット）。そして、次のステップＳ４において、減算（“−１”）された番号のタブセットをディスプレイＤＰのタブ表示部に表示する処理を行った後、このシフトスイッチ押下処理を終了し、メイン処理にリターンする。
【００５１】
一方、最初のステップＳ１で、押下されたシフトスイッチが右方向シフトスイッチＳＲが操作されたと判定されたときは、ステップＳ５に進む。ステップＳ５では、現在、ディスプレイＤＰには最終の第Ｓタブセット〔図３〜５では第４タブセットＴ１３（Ｍ）〜Ｔ１４（Ｐ）〕が表示されているか否か、つまり、最右に配列された第Ｓ画面グループ（第４画面グループ）が指定されているか否かを判定する。そして、最終タブセットが表示されている（最終画面グループが指定されている）ときは、直ちに、このシフトスイッチ押下処理を終了してメイン処理にリターンする。
【００５２】
これに対して、ステップＳ５において最終タブセットが表示されていないと判断されたときは、ステップＳ６に進み、タブセット番号ｓを“１”だけ加算する（「ｓ←“＋１”」。例えば、“第２”タブセット→“第３”タブセット）。そして、次のステップＳ４において、加算（“＋１”）された番号のタブセットをディスプレイＤＰのタブ表示部に表示する処理を行った後、このシフトスイッチ押下処理を終了し、メイン処理にリターンする。
【００５３】
〔タブスイッチ押下処理〕
この発明の一実施例において、上述したタブスイッチ（ファンクションスイッチ）Ｆ１〜Ｆ４の操作に基づく画面データの処理は「タブスイッチ押下処理」と呼ばれる。図７は、この発明の一実施例によるタブスイッチ押下処理のフローチャートである。この処理フローは、図示しないメイン処理における一ルーチンであり、タブスイッチＦ１〜Ｆ４の何れかの押圧（押下）操作により起動する。
【００５４】
何れかのタブスイッチＦ１〜Ｆ４が操作されると、先ず、最初のステップＰ１で、１画面グループにおける最大タブ数Ｔを取得し（図３〜図５の例では、Ｔ＝“４”）、続いて、ステップＰ２にて、現在のタブセット番号ｓ（例えば、第２タブセットが表示されている場合はｓ＝“２”）を取得する。
【００５５】
さらに、ステップＰ３で、操作されたタブスイッチ（Ｆ１〜Ｆ４）の番号ｔを取得し（例えば、タブスイッチＦ２が操作された場合はｔ＝“２”）、次のステップＰ４において、次式（１）によりタブ番号ｙを求める：
ｙ  ＝  Ｔ×（ｓ−１）＋ｔ                                  …（１）
【００５６】
そして、ステップＰ５にて、タブ番号ｙに該当する第ｙ表示画面をディスプレイＤＰ上に表示する処理を行った後、このタブスイッチ押下処理を終了し、メイン処理にリターンする。この場合、括弧書きで例示したＴ＝“４”、ｓ＝“２”、ｔ＝“２”の場合は、ｙ＝６となり、図４下右のように第６表示画面Ｆが表示される。
【００５７】
なお、上述の処理フロー（Ｐ４）では、ディスプレイＤＰに表示されるべき表示画面を特定するのに、計算式を用いているが、テーブルから求めてもよい。図８は、この発明の一実施例による画面移行タブスイッチ制御において使用可能な画面記号（タブ記号）、タブ番号（図面番号）ｙ、１画面グループ最大タブ数（最大画面数）Ｔ、タブセット番号（画面グループ番号）ｓ及びタブスイッチ番号ｔの対応関係を表わすテーブルの例である。この例では、既に例示したように、表示画面数Ｙ＝１６、タブセット（画面グループ）数Ｓ＝４、１画面グループのタブ数（画面数）は一定値“４”であり最大タブ数Ｔに等しい、ということが条件とされている。
【００５８】
図９及び図１０は、この発明の一実施例による画面移行タブスイッチ制御が適用されるディジタルミキサーディスプレイにおいて、実際に表示される具体例を参考的に示すものである。図９はチャンネル２５〜４８のＰＡＮ設定画面であり、この表示画面を用いて、パン設定を個別（左右独立）、連動（左右同じ幅を保って連動）或いは逆方向連動（左右逆方向へ連動）で行うことができる。また、図１０は、グラフィックイコライザーのエディット画面であり、この表示画面を用いて、グラフィックイコライザーのオン／オフ、インサートするポジション、リンク、リミット、フラット、各バンドのブースト／カット量の設定を行うことができる。
【００５９】
〔種々の実施態様〕
以上、この発明を一実施例について説明したが、この発明は、例えば、次の（１）〜（４）のように、種々の態様で実施することができる：
【００６０】
（１）タブスイッチやシフトスイッチは、実施例ではハード的なスイッチとしているが、タッチパネル形式のものでも構わない。
【００６１】
（２）タブ数（総表示画面数）は、実施例においては、１６個を例示したが、１６個に限らず、それ以下でもそれ以上でも良く、１画面グループに収まる数（最大タブ数又は最大画面数Ｔ）の整数倍でなくても良い。
【００６２】
（３）シフトスイッチについては、実施例では、左方向及び右方向シフトスイッチとしているが、製品の形態によっては、上方向シフトスイッチ（↑）及び下方向シフトスイッチ（↓）という上下シフトでもよく、また、斜めシフトのスイッチでも良い。さらに、これらから幾つかの任意の組み合わせとしても構わない。
【００６３】
（４）起動当初にデフォルト表示される初期の表示画面については、実施例では、第１画面グループの先頭表示画面（Ａ）としたが、ユーザが任意に設定してもよいし、画面移行タブスイッチ制御を終了したとき表示画面が自動的に初期表示画面として表示されるようににしてもよい。
【００６４】
【発明の効果】
以上説明したように、この発明によれば、多数（Ｙ）枚の画面を複数（Ｓ）の画面グループに分けているので、タブ操作手段の数（Ｔ）と画面グループの数（Ｓ）を乗算した数（Ｔ×Ｓ）までの多数の機能を装置に持たせることができ、また、特定の機能毎に画面をグループ化して保存することにより所望の機能が探し易くなる。さらに、画面グループ移行専用のシフト操作手段（ＳＬ，ＳＲ）を設けているので、簡単且つ高速に所望の画面グループに移行し、タブ操作手段（Ｆ１〜Ｆ４）による特定の機能にアクセスする手順を素早くすることができる。従って、多くの機能表示画面を格納しておき、これを少ない操作手段で呼び出し、パネル操作性を向上することができる。
【００６５】
また、シフト操作手段（ＳＬ，ＳＲ）を操作して別の画面グループが指定されても、シフト操作手段（ＳＬ，ＳＲ）により指示される以前に表示されている画面をそのまま表示するようにしており、次に、タブ操作手段（Ｆ１〜Ｆ４）が操作されるまでは、画面表示が更新されないので、タブ操作で選択したユーザに必要な画面だけを表示し、履歴データとして残しておくことができる。また、これにより、履歴追跡手段（ＳＦ，ＳＢ）によって、戻り作業工程での修正・確認を素早く行い、その後も、素早く現在の作業工程に戻ることができる。
【００６６】
この発明によれば、さらに、互いに順序付けられている画面グループの関係から、現在指定されている画面グループの前後に指示可能な画面グループが存在するかどうかを判断し、この判断結果に応じて、シフト操作手段（ＳＬ，ＳＲ）の操作可能性をユーザに案内する三角印などの案内マーク（ＭＬ，ＭＲ）を表示するようにしているので、隣接する画面グループの存在がすぐに分かり、画面グループ間の順序付けや配列をイメージしながら容易にパネル操作を行うことができる。
【図面の簡単な説明】
【図１】図１は、この発明の一実施例による画面移行タブスイッチ機能を備えたディジタルミキサーのハードウエア構成を示すブロック図である。
【図２】図２は、この発明の一実施例による操作パネルの表示画面及び画面操作スイッチの配置に関する一構成例である。
【図３】図３は、この発明の一実施例による表示画面選択の概念をイメージ的に表わす図である。
【図４】図４は、この発明の一実施例による画面移行タブスイッチ機能に従う画面操作例の一部を表わす図である。
【図５】図５は、この発明の一実施例による画面移行タブスイッチ機能に従う画面操作例の他部を表わす図である。
【図６】図６は、この発明の一実施例によるシフトスイッチ押下処理の一例を表わすフローチャートである。
【図７】図７は、この発明の一実施例によるタブスイッチ押下処理の一例を表わすフローチャートである。
【図８】図８は、この発明の一実施例における画面記号（タブ記号）、タブ番号（図面番号）、最大タブ数（最大画面数）、タブセット番号（画面グループ番号）及びタブスイッチ番号の対応関係を表わすテーブルの一例である。
【図９】図９は、この発明の一実施例による画面移行タブスイッチ制御が適用されるディジタルミキサーディスプレイに実際に表示される一具体例である。
【図１０】図１０は、この発明の一実施例による画面移行タブスイッチ制御が適用されるディジタルミキサーディスプレイに実際に表示される他の具体例である。
【符号の説明】
ＤＰ  ディスプレイ、
Ｔ１〜Ｔ１６  １６枚（Ｙ＝１６）のタブ、
ＭＬ，ＭＲ  左方向及び右方向シフト可能マーク、
Ｆ１〜Ｆ４  ４個（Ｔ＝４）のタブスイッチ（ファンクションキー）、
ＳＬ，ＳＲ  左方向及び右方向シフトスイッチ（シフトキー）、
ＳＦ，ＳＢ  履歴追跡用フォワード及びバックスイッチ、
Ａ〜Ｐ  タブ又は表示画面に与えられた記号。
【図１】
0003601470.tif 000002
【図２】
0003601470.tif 000003
【図３】
0003601470.tif 000004
【図４】
0003601470.tif 000005
【図５】
0003601470.tif 000006
【図６】
0003601470.tif 000007
【図７】
0003601470.tif 000008
【図８】
0003601470.tif 000009
【図９】
0003601470.tif 000010
【図１０】
0003601470.tif 000011